(57)【要約】【課題】広告、宣伝、案内等の表示板の背面の保持枠の挿入口に支持脚を差し込むだけで簡単に立てることができ、支持脚を抜いて簡単に折畳みできる。【解決手段】略中央又は任意の間隔をおいて複数箇所に折り目を設けて折畳み可能とした縦長の表示板２と、該表示板の背面に折畳み可能で、支持脚を挿入する挿入口を有する１又は複数個の保持枠３とからなる表示体１を設け、別に表示体１の保持枠３の挿入口４に挿入して表示板を支える支持脚１０を設け、表示板と保持枠を拡開して支持脚を表示板の背面の保持枠の挿入口に差し込み立てるスタンド式表示体。【選択図】　　図２
2004102036.tif 000002
【特許請求の範囲】
【請求項１】
略中央又は任意の間隔をおいて複数箇所に折り目を設けて折畳み可能とした縦長の表示板と、
該表示板の背面に折畳み可能で、支持脚を挿入する挿入口を有する１又は複数個の保持枠とからなる表示体を設け、
別に表示体の保持枠の挿入口に挿入して表示板を支える支持脚を設け、
表示板と保持枠を拡開して支持脚を表示板の背面の保持枠の挿入口に差し込んで立てることを特徴とするスタンド式表示体。
【請求項２】
彎曲可能で、かつ略中央又は任意の間隔をおいて複数箇所に折り目を設けて折畳み可能とし、かつ各折り目で区分される板体の両側に折り目を支点として起伏可能な連結片を設けた縦長の表示板と、
前記表示板の連結片間に両端頂部を固着し、略扁平又は菱形に変化可能とした複数個の角筒形保持枠とからなる表示体を設け、
別に前記各保持枠の対角間に嵌合して菱形状に広げ表示板を支えるための板状支持脚を設け、
表示体を拡開するとともに支持脚を各保持枠の対角間に嵌合して菱形状とすることにより表示板を彎曲状として立てることを特徴とするスタンド式表示体。
【請求項３】
前記支持脚の下部背面に突出部を設け、
下部の角筒形保持枠の角部に前記突出部を差し込むための差し込み溝を設け、保持枠の対角間に支持脚を挿入時、支持脚の突出部を保持枠の差し込み溝より突出して設置しうるようにした請求項２に記載のスタンド式表示体。
【請求項４】
支持脚の上端に嵌合溝を設け、
該保持枠内の支持脚と直交する対角間に挿入可能で前記支持脚の嵌合溝に嵌合しうる繋止手段を設け、
保持枠に挿入した支持脚を上部の保持枠において繋止手段で繋止可能とした請求項２又は３に記載のスタンド式表示体。
【請求項５】
中央に折り目を設けて折畳み可能とした縦長の表示板と、
該表示板の背面に中央の折り目で折畳み可能でかつ支持脚を挿入する挿入口を有する上下板の両端を固着して前記表示板を開く時その上下板を「く」型に起立させかつ挿入口を同一軸線上に位置させうる保持枠とからなる表示体を設け、
別に上部を前記保持枠の挿入口に嵌合するとともに表示板を支える支持脚を設け、
前記表示板と保持枠を拡開し、支持脚を挿入口に嵌合して表示体を立てることを特徴とするスタンド式表示体。
【請求項６】
前記保持枠の挿入口は略四角形とし、その内面に両側に支持脚の差し込み部を形成した凸部を設け、
前記支持脚は前記挿入口に合致するように両側の折り目で略コ型に折り曲げ可能に設け、
該支持脚を前記挿入口に差し込み可能とした請求項１又は５記載のスタンド式表示体。
【請求項７】
前記保持枠の挿入口は略三角形とし、その内面に両側に支持脚の差し込み部を形成した凸部を設け、
前記支持脚は前記挿入口に合致するように中央の折り目でＶ型に折り曲げ可能に設け、
該支持脚を前記挿入口に差し込み可能とした請求項１又は５記載のスタンド式表示体。
【請求項８】
前記支持脚の両側板に受止め段部を設け、保持枠の下部の板面に設けた挿入口に支持脚を挿入時に支持脚の受止め段部で保持枠を受止めうる請求項５ないし７のいずれかに記載のスタンド式表示体。
【発明の詳細な説明】
【０００１】
【発明の属する技術分野】
この発明は、店頭、ショウルーム、展示会会場等適宜の展示場所に立てかける広告板、案内板等表示体に関し、簡単に組立、立てかけ、またコンパクトに折り畳むことができるスタンド式表示体に関する。
【０００２】
【従来の技術】
【特許文献１】
特開２００２−　４０９４０号公報
【特許文献２】
特開２００１−２９０４２４号公報
従来、立てる表示板として、特許文献１に、背板に開けた挿入穴から指を挿入して床板を押し倒し、押し倒した床板の縁によって膨出板を膨出して自立させる膨出演出体）、或いは、特許文献２に、表示板と該表示板を裏側より支持する支持体とを備え、該支持体は、背面板と両側に側面板を連設したもので、側面板の両端に組み込み片と、支持板を設けた構成で、中央部の背面板を表示板の折部間に貼着した後、組み込み片同志を組み合わせ、略四角錐状の箱体に組立、繋止板で表示体の上部と支持体の上部を保持するとともに、支持板に設けた切り込みに固定板を差し込み支持体を下方で固定した構成としたスタンド式ディスプレイ装置などが記載されている。
【０００３】
【発明が解決しようとする課題】
前者の膨出演出体は、背板に半円形の床板を床接着片で接着して取付ける構成で、複数の半円形の床板を設けなければならないので、構造が複雑であり、また、単に半円の床板を倒して膨出させる構成で、支持脚がないので、不安定で倒れやすい問題があります。また、後者のスタンド式ディスプレイ装置は、支持体の両側の側面板が広がらないように組み込み片を組み合わせ、その上繋止板、固定板等が必要で、構造が複雑であり、折畳みにも手間がかかり、また、表示板の裏面に支持体を直接接着材で固着するので、折畳み構造が複雑となるだけでなく、表示板だけ、支持体だけの取替ができないので、不経済であるなどの問題があります。
また、従来はディスプレイ装置に紙以外の材料が混在しているので、高価であり、処分時も紙と紙以外の材料を分別しなければならず不便であった。
【０００４】
この発明は、このような問題点を解消するために、広告、宣伝、案内等の表示板の背面に挿入口を有する保持枠を設けた表示体と支持脚を別体として、保持枠の挿入口に支持脚を差し込むだけで表示板を簡単に立てることができるスタンド式表示体（ディスプレイ、立て看板ともいう）を提供することを目的とする。また、表示体と支持脚をコンパクトに折畳みできるスタンド式表示体を提供することを目的とする。
【０００５】
【課題を解決する手段】
この発明の請求項１のスタンド式表示体は、略中央又は任意の間隔をおいて複数箇所に折り目を設けて折畳み可能とした縦長の表示板と、該表示板の背面に折畳み可能で、支持脚を挿入する挿入口を有する１又は複数個の保持枠とからなる表示体を設け、別に表示体の保持枠の挿入口に挿入して表示板を支える支持脚を設け、表示板と保持枠を拡開して支持脚を表示板の背面の保持枠の挿入口に差し込んで立てることを要旨とする。
【０００６】
この発明の請求項２のスタンド式表示体は、彎曲可能でかつ略中央又は任意の間隔をおいて複数箇所に折り目を設けて折畳み可能とし、かつ各折り目で区分される板体の両側に折り目を支点として起伏可能な連結片を設けた縦長の表示板と、前記表示板の連結片間に両端頂部を固着し、略扁平又は菱形に変化可能とした複数個の角筒形保持枠とからなる表示体を設け、別に前記各保持枠の対角間に嵌合して菱形状に広げ表示板を支えるための板状支持脚を設け、表示体を広げるとともに支持脚を各保持枠の対角間に嵌合して菱形状とすることにより表示板を彎曲状として立てることを要旨とする。
【０００７】
この発明の請求項３のスタンド式表示体は、請求項２に記載のスタンド式表示板において、前記支持脚の下部背面に突出部を設け、下部の角筒形保持枠の角部に前記突出部を差し込むための差し込み溝を設け、保持枠の対角間に支持脚を挿入時、支持脚の突出部を保持枠の差し込み溝より突出して設置しうるようにしたものである。
【０００８】
この発明の請求項４のスタンド式表示体は、請求項２又は３に記載のスタンド式表示体において、支持脚の上端に嵌合溝を設け、該保持枠内の支持脚と直交する対角間に挿入可能で前記支持脚の嵌合溝に嵌合しうる繋止手段を設け、保持枠に挿入した支持脚を上部の保持枠において繋止手段で繋止可能としたものである。
【０００９】
この発明の請求項５のスタンド式表示体は、中央に折り目を設けて折畳み可能とした縦長の表示板と、該表示板の背面に中央の折り目で折畳み可能でかつ支持脚を挿入する挿入口を有する上下板の両端を固着して前記表示板を開く時その上下板を「く」型に起立させかつ挿入口を同一軸線上に位置させうる保持枠とからなる表示体を設け、別に上部を前記保持枠の挿入口に嵌合するとともに表示板を支える支持脚を設け、前記表示板と保持枠を広げ、支持脚を挿入口に嵌合して表示体を立てることを要旨とする。
【００１０】
この発明の請求項６のスタンド式表示体は、請求項１又は５に記載のスタンド式表示体において、前記保持枠の挿入口は略四角形とし、その内面に両側に支持脚の差し込み部を形成した凸部を設け、前記支持脚は前記挿入口に合致するように両側の折り目で略コ型に折り曲げ可能に設け、該支持脚を前記挿入口に差し込み可能としたものである。この発明の請求項７のスタンド式表示体は、同じく、前記保持枠の挿入口は略三角形とし、その内面に両側に支持脚の差し込み部を形成した凸部を設け、前記支持脚は前記挿入口に合致するように板体を中央の折り目でＶ型に折り曲げ可能に設け、該支持脚を前記挿入口に差し込み可能としたものである。
【００１１】
この発明の請求項８のスタンド式表示体は、請求項５ないし７のいずれかに記載のスタンド式表示体において、前記支持脚の両側板に受止め段部を設け、保持枠の下片に設けた挿入口に支持脚を挿入時に支持脚の受止め段部で保持枠を受止めうるものである。
【００１２】
前記した第１の発明の構成によれば、表示板の前面に広告、宣伝、案内、標識等を表示した表示板と１又は複数個の保持枠からなる表示体と、支持脚を別体に設けて、表示体と保持枠を折畳み状態から広げて支持脚を保持枠の挿入口に差し込むだけで簡単に立てることができる。また、折畳み時には、支持脚を保持枠の挿入口より抜いて、表示体と保持枠を折畳んでコンパクトにして収納、保管、運搬等ができる。表示体と支持脚は別体としたので、１セットとして提供し、また別々に保管、運搬でき、取り替えも自由にできる。この発明のスタンド式表示体は、全て紙で製作すれば、安価であり、リサイクル可能であり、廃棄処分も簡単で便利である。
【００１３】
前記した第２の発明の構成によれば、表示体と支持脚を別体として、表示板は柔軟性（可撓性）を有して、彎曲可能とし、その前面に広告、宣伝、案内等を表示し、この表示板と複数個の保持枠からなる表示体を折畳み状態から広げ、背面の連結片間の菱形の保持枠の内部の挿入口の対角間に板状支持脚を挿入嵌合して菱形状を構成することによりその保持枠で表示板を押圧するとともに両連結片を引き寄せる作用で表示板を彎曲状として簡単に安定して立てることができる。表示板を彎曲状とすることで、見る側からすると左右どちらの方向からでも見ることができ、人の目を引きやすく広告、宣伝効果等を増大できる。
また、折畳み時には、支持脚を四角形の保持枠の挿入口より抜くだけで、表示体と保持枠を折畳んでコンパクトにして収納、保管、運搬等ができる。表示体と支持脚は別体としたので、１セットとして提供し、また別々に保管、運搬でき、取り替えも自由にできる。この発明のスタンド式表示体は、全て紙で製作すれば、安価であり、リサイクル可能であり、廃棄処分も簡単で便利である。
【００１４】
前記した第３の発明の構成によれば、保持枠の対角間に支持脚を挿入時、支持脚の突出部を保持枠の差し込み溝より突出して設置するので、表示体を安定して立てることができ、後方へ転倒するのを防ぐことができる。
【００１５】
前記した第４の発明の構成によれば、保持枠に支持脚を挿入時に、上部の保持枠において繋止手段を支持脚の上部の嵌合溝に交叉状に嵌合することにより、支持脚が保持枠内で対角から外れて表示体が倒れることを防止でき、保持枠を菱形に保持できるとともに支持脚を表示板に対して垂直に突き当てて保持できる。
【００１６】
前記した第５の発明の構成によれば、表示体と支持脚を別体として、前面に広告、宣伝、案内等を表示した表示板を折畳み状態から広げ、かつ表示板の背面の保持枠を折畳み状態からその中央部の折り目を支点として保持枠を「く」型に広げて起立させて挿入口を同一軸線上に位置させ、その保持枠の上下板の挿入口に表示板に沿って支持脚を差し込むだけで簡単に表示体を立てることができる。また、折畳み時には、支持脚を保持枠の挿入口より抜いて、保持枠の中央の折り目で折り畳むとともに表示体を折畳んでコンパクトにして収納、保管、運搬等ができる。表示体と支持脚は別体としたので、１セットとして提供し、また別々に保管、運搬でき、取り替えも自由にできる。この発明のスタンド式表示体は、全て紙で製作すれば、安価であり、リサイクル可能であり、廃棄処分も簡単で便利である。
【００１７】
前記した第６の発明の構成によれば、前記保持枠の略四角形の挿入口にコ型支持脚を差し込む際に、支持脚の両辺を凸部の両側の差し込み部に差し込んで簡単かつ的確に表示体を立てることができる。折畳み時は、前記と同様に支持脚を挿入口より抜いて、表示板と保持枠をともに折畳んでコンパクトにして収納、保管、運搬等ができる。
【００１８】
前記した第７の発明の構成によれば、前記保持枠の略三角形の挿入口にＶ型支持脚を差し込む際に、支持脚の両辺を凸部の両側の差し込み部に差し込んで簡単かつ的確に表示体を立てることができる。折畳み時は、前記と同様に支持脚を挿入口より抜いて、表示板と保持枠をともに折畳んでコンパクトにして収納、保管、運搬等ができる。
【００１９】
前記した第８の発明の構成によれば、保持枠の下片に設けた挿入口に支持脚を挿入時に支持脚の受止め段部で保持枠を確実に受止めることができるので、表示板を所定の角度で保持することができる。
【００２０】
【発明の実施の形態】
この発明のスタンド式表示体の実施形態を図面に基づいて説明する。図１はこの発明の表示体の斜視図、図２は同背面側の斜視図、図３は同中央縦断面図、図４は（イ）表示体を折り畳んだ状態の平面図、（ロ）広げた状態の平面図、図５は図３のＸ−Ｘ断面図、図６は図３のＹ−Ｙ断面図、図７は表示体、支持脚および繋止板を折り畳んだ状態の斜視図、および図８は表示体を開き、支持脚と繋止板を挿入する状態の斜視図である。
【００２１】
図において、この発明のスタンド式表示体は、縦長の表示板２、挿入口４を有する保持枠３とからなる表示体１と、支持脚１０とにより構成されるものである。或いは、表示板２２、挿入口２４を有する保持枠２３とからなる表示体２１と、支持脚３０或いは４０とにより構成されるものである。
表示板２は段ボール紙製或いは厚紙製で、表面に広告、宣伝、案内等の表示を印刷、写真製版、手書き、或いは印刷物の貼着等により構成する。表示板２の形状は、縦長の長方形、例えば、人の背丈の高さにほぼ等しい大きさ、約１８０ｃｍ×７０ｃｍの大きさとしてある。表示板は長方形としたが、これに限られるものではなく、例えば、人の形（図１６等参照）、各種キャラクターの形にかたどったものなど、適宜の形状とできる。
該縦長の表示板２は、長手方向の略中央に、又は長手方向に任意の間隔をおいて複数箇所に折り目５を設けて２つ折り、３つ折り等として拡開可能で、かつコンパクトに折畳み可能とする。
保持枠３は段ボール紙製或いは厚紙製で、前記表示板２の背面に１又は複数個折畳み可能に備え、かつ支持脚１０を表示板の背面に沿って挿入しうる挿入口４が設けられている。
支持脚１０は段ボール紙製或いは厚紙製で、保持枠３の挿入口４に挿入し、表示板を支えうる形状とする。この支持脚の形状は、平板の板体を使用する。又、この支持脚１０もコンパクトに折り畳むためにその長手方向の適所に折り目が設けられている。
別の実施形態の表示板２２は表示板２と同じ材質で、２つ折りとして折畳み可能とする。
保持枠２３は段ボール紙製或いは厚紙製で、前記表示板２２の背面に折畳み可能に備え、かつ支持脚３０又は４０を表示板の背面に沿って挿入しうる挿入口２４が設けられている。支持脚３０又は４０は段ボール紙製或いは厚紙製で、前記表示板２２の背面に備える保持枠２３の位置より若干高い高さとし、保持枠２３の挿入口２４に挿入し、表示板を支えうる形状とする。この支持脚の形状は、断面Ｖ型、コ型等適宜形状に折曲げ可能で、拡開可能とした板体などを使用する。又、この支持脚３０、４０もコンパクトに折り畳むためにその長手方向の適所に折り目が設けられている。
【００２２】
この発明の上記した構造によれば、表示体を立てるときは、折り畳んだ表示板２又は２２を拡開して、その背面に備えた保持枠３又は２３も拡開して、保持枠に設けた挿入口４又は２４に支持脚１０又は３０、４０を表示板に沿って挿入し、表示板２又は２２の背面をこの支持脚で簡単に支えることができる。
表示体を運搬、収納、保管するときは、支持脚を取外し、保持枠と表示板を折畳んでコンパクトにすることができる。
【００２３】
図１ないし図８に示す第１の実施形態は、表示板を彎曲状として立てかける形式のスタンド式表示体を示す。
この縦長の表示板２は、柔軟性、可撓性を有する厚紙を用いて、彎曲可能とし、その表面に前記と同様に印刷、写真製版、手書き、或いは印刷物の貼着等により広告、宣伝、案内等の表示をする。この表示板は保持枠を広げて中央部に押しあてて彎曲させ、保持枠から支持脚を外すとそれ自体の復元力で元に戻る。表示板２の形状は、縦長の長方形としてあり、長手方向にほぼ等間隔をおいて２箇所に横方向に折り目５を設けて３つの板体２ａ、２ｂ、２ｃに区分し、表示板２を立てる時は広げて展開し（拡開し）、畳む時は中央の板体２ｂに対して上下の板体２ａ、２ｃを折り目５で折り曲げてその上に重ねて折り畳むように設けられる。
前記表示板２は３つ折りとしたが、これに限られるものではなく、中央に横方向に折り目を設けて２つに折り畳むもの、或いは二以上の折り目を設けて折り畳むものでもよい。実施例では表示板２は同じ幅でほぼ同じ長さの三枚の厚紙製板体を接続して接着材で貼着して、その接続した継ぎ目を折り目５としてある。
表示体１の背面側には、前記縦長の表示板２の各折り目５で区分される各板体の背面両側に折り目６を介して延長して連結片７がその折り目を支点として起伏可能に設けられている。
連結片７は表示板の両側に折り目６を支点として表示板の背面に対して任意の角度開いたり、或いは接して閉じたりさせ、図４（ロ）に示すように、後述の保持枠３を開く際、保持枠３の引張り力で連結片７が引っ張られる方向に開かれて菱形（四角形）の横の対角線上の両端頂点の位置Ｂ、Ｃを表示板２の折り目５の両側の位置Ｅ、Ｆより外方に位置させ、保持枠３を広げて菱形（四角形）が構成される。この連結片７を設けることで、連結片７を表示板の両側Ｅ、Ｆを支点として開く分だけ、連結片７と保持枠３の接合点Ｂ、Ｃが表示板２との間に距離をおくことができ、保持枠３を広げて菱形が形成しやすい。実施例では連結片７は表示板２の両側に折り目６を介して各板体２ａ、２ｂ、２ｃの側面に沿い細幅に設けられ、表示板２の各区分毎に折り目６の位置で切り目９が入れられて切り離され、各区分毎の連結片７が折り目を支点としてそれぞれ自由に起伏可能に設けられる。また、その連結片７は端面に接着片７ａが設けられ、この接着片７ａに保持枠３の両端の外面が接着材で貼着される。保持枠３は両側の連結片７間に備えられている。連結片は図のように表示板に沿って長く設ければ、丈夫で、保持枠による張力がかかっても破れることがない。
この連結片の長さは各板体とほぼ同じとしてあるが、これに限られるものではなく、例えば、保持枠の幅とほぼ同じとしても良い。
【００２４】
保持枠３は、前記表示板と同じく厚紙製で任意の幅の四角形、菱形の角筒を形成したもので、表示板の連結片７間に複数個の保持枠３の両端頂部を固着し、保持枠を略扁平又は菱形に変化可能に設ける。四角形、菱形の角筒の横方向の対角線上の両端の頂部を前記表示板２の背面の各区分に設けた連結片７にそれぞれ固着し、前記横方向の対角線に交叉する縦方向の対角線の箇所で保持枠３の後面を前面に対して近づけて扁平に折畳み可能とし、又は保持枠３の後面を前面より離反させて四角形、菱形を形成可能とする。この実施形態では、角筒の内部が支持脚の挿入口４となる。
複数個の保持枠３は同じ大きさの四角形、菱形として、表示板の背面中心線上に任意の間隔をおいて１列に設けられる。
保持枠３の縦の幅は少なくとも表示板２の各区分の板体の幅よりは狭くする。実施形態では、保持枠３の幅は板体の約３分の１程度の幅としてある。保持枠３の幅は、支持脚を嵌合するときにこの保持枠が破れることがないようにする。また、上中下の各保持枠の四角形、菱形の大きさは同じとしてある。
この実施形態の場合には、上部と、中間の保持枠３は表示板２の各区分の板体２ａ、２ｂの中間に設けてあるが、一番下部の保持枠３の底面は、表示板２の底面と同じとなるように板体２ｃの下部に設けられて、表示板２を立てるとき、表示板２の底面と下部の保持枠３の底面が床面等に接地するようにしてある。また、一番下部の保持枠３の縦の幅は他の保持枠の幅より広くして、表示板を立てる際に下部を安定させることができ、また、後述の支持脚の突出部１２を差し込むための差し込み溝８を長く形成してある。なお、保持枠は連結片間に一個ずつ設けたが、これに限られるものでなく、複数個設けることも可能である。
【００２５】
支持脚１０は段ボール紙製或いは厚紙製の板体で、その幅は、前記表示体の保持枠３を所定の菱形（四角形）とするときの角筒の縦方向の対角線の対向する内角（以下対角という）間に相当する幅とされ、これを保持枠３の挿入口４の縦方向の対角間に挿入して菱形の保持枠３を構成するとともに保持枠３を介して表示板２の内面に押し当てて表示板２の中央部を前方へ膨出させ、表示板を彎曲状にする。表示板２は支持脚１０を中心として左右均等に彎曲される。
支持脚１０の板体の幅は、菱形の角筒の一辺の長さと略同じ、或いはそれより長くして、角筒の前記対角間に嵌合したとき、角筒が菱形状となり、板体１０の幅を段々長くすると略正方形の菱形となる。支持脚の板体１０の幅は、なるべく広くして角筒を広げる方が表示板を立てるときに安定させることができる。この板体の幅は、上記に限定されるものではなく、狭くも広くもできる。
又、この支持脚１０はコンパクトに折り畳むためにその長手方向の中間適所に折り目１１が設けられている。実施例では２つの折り目１１が間隔をおいて設けられ、３つに折り畳むようにしてある。
【００２６】
前記支持脚１０は保持枠３を所定の大きさの菱形を構成できる幅とした長方形とし、かつ支持脚１０で表示板を安定して支えるために下部の幅を広く設けるのが好ましい。実施形態では支持脚の下部には保持枠より外部に突出する突出部１２が設けられて、支持脚を安定して据え付けできるようにしてある。その突出部１２の外部に突出する部分の幅は広くして安定して支えることができるようにする。この突出部の上部は円弧面として、差し込み溝に差し込みやすくし、体裁をよくしてある。
菱形保持枠３のうちで、一番下部の保持枠３の中央の対角線に相当する後部角部には、支持脚の下部の突出部１２を差し込むための差し込み溝８が設けられている。この差し込み溝８の深さは、支持脚の突出部１２の高さと同じとする。
而して、保持枠３の前記対角間に支持脚１０を挿入時、支持脚１０の突出部１２を保持枠３の差し込み溝８より突出して設置できる。
【００２７】
保持枠３に嵌合する支持脚１０の位置がずれないように繋止手段又は係止手段１３として、保持枠の縦の対角線に嵌合した支持脚１０に対して交叉する対角線（横方向の対角線）に繋止板等を嵌めて繋止できるようにする。
繋止手段１３として実施形態では、支持脚１０の上端の嵌合溝１４と、この支持脚に繋止するための繋止板１５とにより構成されている。
繋止板１５は段ボール製又は厚紙製の長方形板で、前記保持枠３の横の対角線の対角間の長さとほぼ同じ長さとして、その下面中央に支持脚１０に嵌合しうる嵌合溝１６が形成され、保持枠３の中央の縦の対角線の対角間に支持脚１０を嵌合できるようにする。保持枠の中央の縦の対角間の長さが広げられると、それに従い横の対角間の長さは縮まる。それに合わせて繋止板１５の長さが決められる。
而して、繋止板１５は上部の保持枠内の横方向の対角線に挿入されてその嵌合溝１６が前記支持脚１０の嵌合溝１４に相互に嵌合されて十字状に確実に保持して支持脚が保持枠内でずれないようにできる。この十字状の保持により保持枠の菱形をしっかり保持できて支持脚を表示板の中心に確実に当て、表示板を左右均等に彎曲させて保持できる。
実施例では、支持脚１０と繋止板１５の双方に嵌合溝を設けて相互に嵌合する場合を示したが、これに限られるものではなく、いずれか一方に嵌合溝を設けて他方の板体を嵌めつけるようにしてもよい。
【００２８】
図４において、（イ）彎曲状のスタンド式表示体の折畳み状態と、（ロ）広げて立てた状態との平面を線図で示す。
図４（イ）の折畳み状態
表示板の横の全幅（ＥＦ）Ｌ１＝約７０ｃｍ、
連結片の幅（ＥＢ＝ＣＦ）Ｌ２＝約１２ｃｍ、
保持枠の１辺（ＡＢ＝ＡＣ＝ＣＤ＝ＢＤ）の長さＬ３＝約２３ｃｍ、
保持枠の横の対角線（ＢＣ）長さＬ４＝約４６ｃｍ、
保持枠の縦の対角線（ＡＤ）長さＬ５＝０である。
図４（ロ）の広げた状態、
支持脚の上部の幅Ｌ５＝ＡＤ＝約２７ｃｍ、
支持脚の突出部を含めた下部の幅ＧＤ＝約４１ｃｍ、
この支持脚を保持枠の縦の対角線（ＡＤ）に嵌合する。
保持枠の縦の対角線（ＡＤ）長さＬ５＝約２７ｃｍとなり、
保持枠の横の対角線（ＢＣ）長さＬ４＝約３６ｃｍ、
横の対角線が約１０ｃｍ短くなることにより、表示板の両側が引き寄せられて
表示板は彎曲して横の全幅（ＥＦ）Ｌ１＝約６０ｃｍとなる。
支持脚の突出部は保持枠よりＡＧ＝約１３ｃｍ突出する。
【００２９】
この実施形態の表示体を彎曲させて直立状に立てる場合には、図８に示すように、表示体１と、支持脚１０をそれぞれ広げて展開し、表示板２の背面に一列に並べた各保持枠３の角筒の挿入口４に支持脚１０を差し込んで菱形を形成することにより図２、図４ないし図６に示すように、保持枠の中央の対角間が広げられ、角筒の中央の前面が表示板の背面中央に当接して押圧され、かつ角筒の横の対角間は狭まって表示板の両側の連結片７が引き寄せられ、連結片７を介して表示板２の両側が引っ張られ、表示板が左右均等に彎曲状になるとともに支持脚で支えるので、安定して立てかけることができる。表示体と支持脚の底面は一致させて床面に立てることができる。表示板を彎曲状とすることで、見る側からすると左右どちらの方向からでも見ることができ、人の目を引きやすく広告、宣伝効果を増大できる。
支持脚１０を角筒の保持枠３から外す場合には、支持脚１０を引き抜くと、表示板２の両端を引き寄せていた引張り力が解除されて、表示板はそれ自体の復元力で元の平らな状態に戻り、それによって連結板が外方に移動して菱形の対角線の両端が引っ張られることにより図４（イ）に示すように菱形の保持枠は扁平状態となる。しかる後、図７に示すように表示体を折り畳んでコンパクトにして収納、保管、運搬する。そして、取り外した支持脚１０も折り畳んでコンパクトにする。表示体と支持脚は別体であるから、１セットとして、或いは表示体、支持脚を別個に保管、運搬でき、販売は１セットとして提供できる。また、表示体とか支持脚が汚れたり、破損等を生じたときは、簡単に取り替えできる。また、表示体を全て段ボール製又は厚紙製とするので、製造コストが安価であり、処分時分別の必要がなく、廃棄処理に有利で、紙のリサイクルも可能である。
【００３０】
図９は表示板を２つ折りの長方形とした別の表示体の斜視図、図１０は同背面側の斜視図、図１１は同中央縦断面図、図１２はこの表示体の折畳み状態の斜視図、図１３は支持脚の折畳み状態の正面図、図１４は支持脚を広げた状態の正面図、図１５は表示体を広げ、コ型の支持脚を挿入する状態の斜視図、図１６は表示板を人型とした別の表示体の背面側の斜視図、図１７は同中央縦断面図、図１８はこの表示体の折畳み状態の斜視図、図１９は表示体を広げた状態の斜視図、図２０は支持脚の折畳み状態の正面図、図２１は支持脚を広げた状態の正面図および図２２は表示体を広げ、Ｖ型の支持脚を挿入する状態の斜視図である。
【００３１】
図９ないし図２２に示す実施形態は、表示板は平板のままで立てかける形式のスタンド式表示体で、図９ないし図１５に表示板を２つ折りの長方形とし、支持脚をコ型とした場合、図１６ないし図２２に表示板を人型とし、支持脚をＶ型とした場合を示す。
【００３２】
図９ないし図１５に示す第２の実施形態の表示板を２つ折りの長方形としたスタンド式表示体について説明する。
この実施形態のスタンド式表示体２１は、縦長の表示板２２、その背面の保持枠２３、その保持枠に挿入する支持脚３０とにより構成されている。
縦長の表示板２２は前記と同様段ボール製、厚紙製で、中央に横方向の折り目２５を設け、表示板を立てるときは拡開して立て、折り畳むときは、その折り目で折畳みできるように設けられる。
保持枠２３は段ボール製、厚紙製板体で、中央の横方向の折り目２６で折畳み可能とし、その上下板２３ａ、２３ｂに支持脚を挿入する挿入口２４が設けられ、この折り畳んだ保持枠２３の両端が前記表示板２２の折り目２５で区分した上下の板体２２ａ、２２ｂの背面に接着材で貼着される。
支持脚３０は前記と同様の材質で板体で前記保持枠２３の挿入口２４に嵌合しうる形状に形成されている。この支持脚は挿入口に差し込みやすくするため、又組立設置時の安定性を考慮し、先端側を先細となるように形成するのが好ましい。
【００３３】
この実施形態の縦長の表示板２２は、段ボール紙を用いて、その表面に前記と同様に印刷、写真製版、手書きなどにより広告、宣伝、案内等の表示をする。表示板２２の形状は、縦長の長方形としてあり、中央に折り目２５を設け、立てる時は展開して伸ばし、畳む時は中央の折り目２５で折り曲げて折り畳むように設けられている。実施例では表示板２２は同じ幅で、ほぼ同じ長さの二枚の段ボール製板体を接続して接着材で貼着して、その継ぎ目を折り目２５としてある。前記表示板を展開した時、保持枠２３の上下板を「く」型に起立させかつ挿入口２４を同一軸線上に対向して位置させる。表示板の形状は長方形としたが、これに限られるものではなく、図１６に示すような人型、各種のキャラクタの形状等適宜の形状とすることは自由である。
【００３４】
保持枠２３は段ボール製の板体で、幅を表示板２２よりは若干狭くし、中央の横方向の折り目２６で上下板２３ａ、２３ｂが折り畳み可能に設けられ、かつその上下の板体に支持脚を挿入する挿入口２４が設けられ、折り畳んだ状態でその両端２３ｃが前記表示板２２の折り目２５で区分した上下の板体２２ａ、２２ｂの背面に接着材で接着され、前記表示板を展開した時保持枠の上下の板体２３ａ、２３ｂが「く」型に起立させられかつその上下の板体の挿入口２４が中心線（同一軸線）上に対向して位置させられるようにする。
実施形態では、保持枠２３の全長は表示板の長さのほぼ二分の一程度とし、上下の板体２３ａ、２３ｂの長さは同じとしてある。この保持枠２３の上下の板体２３ａ、２３ｂには、「く」型に起立時支持脚を挿入する挿入口２４ａ、２４ｂが保持枠の中心線（同一軸線）上に対向して位置するように設けられ支持脚を下方より挿入しうるようにする。
挿入口２４の形状は、Ｖ型、コ型等支持脚の断面の形状に合わせた形状、例えば、三角形、四角形等とする。また、挿入口２４は下部板体の挿入口２４ｂを上部板体の挿入口２４ａより若干大きくして、先細とした支持脚３０を下方より挿入できるようにしてある。また、この挿入口２４には挿入した支持脚３０が動かないように差し込み部を設けるのが好ましい。
而して、折畳み状態の表示板から立て広告板を組み立てるとき、図１９の矢印で示すように表示板２２を広げて展開して伸ばすと、それとともに保持枠２３の両端が上下に離反するとともに保持枠が後方へ「く」型に起立した状態に構成される。この「く」型とした保持枠の中心の角度θは約７０度〜１２０度程度とする。実施例ではθを約９０度としてある。また、折り畳み時には保持枠２３を折り畳むにつれて表示板２２も折畳みできる。
【００３５】
図９ないし図１５において、前記保持枠２３の挿入口２４は略四角形孔とし、その内面には両側に支持脚の差し込み部２７ａを形成した凸部２７が設けられる。
実施形態において、前記四角形の挿入口２４が表示板に近接する位置に設けられ、かつ、板体２３の中央の折り目側には挿入口２４の内面中央に円弧状凸部２７が突出して一体に形成され、その両側に側面と円弧状凸部との間に鋭角の差し込み部２７ａが構成され、コ型支持脚３０の両辺がこの鋭角の差し込み部２７ａに当てられて、支持脚３０が四角形の挿入口２４の内面に密接して嵌合され、がたつきを生じないようにされている。
支持脚３０は縦長の段ボール紙製で、２本の縦方向の折り目３１を介して表示板に当てる背板３２、両側の側板３３が設けられ、その折り目３１より折り曲げて断面略コ字型に形成する。そして、支持脚３０の中央部には横に折り目３８が設けられて、図１４に示すように広げた状態から、図１３のように２つに折り畳むようにしてある。さらに、この支持脚３０は両側板３３の底面を背板３２より前端まで傾斜状として、支持脚３０を床面に立てるときに支持脚の背板３２が傾斜して表示板が若干傾斜を付けて立てられる。この支持脚３０の両側板３３の幅は下方を上方より広くして安定して設置して表示体が後方へ倒れないようにする。
支持脚３０の両側板３３の傾斜状端面の中途には受止め段部３５が設けられ、保持枠２３の下部の板面２３ｂに設けた挿入口２４ｂに支持脚３０を挿入時に支持脚の受止め段部３５で保持枠を受止めて位置決めでき、支持脚３０に凭れかかる表示板と保持枠との荷重を確実に受け止める。受止め段部３５は保持枠の下部の板体の傾斜に合致するように鉤型（Ｖ型）の受け面を形成して保持枠が外れにくくしてある。さらに、上部の板面２３ａに設けた挿入口２４に支持脚を挿入時に保持枠に当てる支持脚の受止め段部３６が形成されている。この受止め段部３６は上部の盤面２３ａの傾斜に合致する角度が付けられている。
而して、図１１に示すように、この二箇所の受止め段部３５と３６で保持枠を受け止めるので、保持枠を所定の角度θに確実に保持することができる。
なお、図中、２３ｃは保持枠２３の両端部で、表示板２２の裏面への接着片と支持脚の窓孔を係止する係止段部とを兼ねる。３７は支持脚３０の上下の窓孔で、前記係止段部２３ｃに窓孔３７をかけて位置決めして保持できる。実施例では、支持脚は断面コ型としたがこれに限られるものではなく、四角形の挿入口の場合、例えば、支持脚も断面四角形とすることもできる。
【００３６】
この実施形態は前記構造としたので、図１０に示すように表示体を直立状に立てる場合には、表示体２１を広げて展開するとともに保持枠２３を「く」型に広げて起し、別に支持脚３０を断面コ型に折り曲げて組立て、この支持脚３０を保持枠２３の挿入口２４に差し込み、表示体の背面に断面コ型の支持脚の背板３２が当てられ、表示体と支持脚の底面を一致させて床面に立てることができる。そして、保持枠に設けた挿入口に支持脚３０を下方より挿入時に支持脚３０の
受け段部３６が保持枠の上部板体２３ａの下面に当たり、かつ受止め段部３５が下部板体２３ｂに当たり、下部板体がその鉤型受け段部３５に係止され、保持枠と支持脚の位置が受け段部３５、３６で決められて予め決めた所定の角度で表示板を確実に立てることができる。
また、断面コ型の支持脚３０はその先端を両側隅角の差し込み部に位置させて四角形の挿入口２４内に差し込むので、支持脚を挿入口に動かないように嵌合することができ、表示板に対して保持枠を利用して支持脚を安定して取り付けできる。
次に、表示体を折り畳む場合には、支持脚を保持枠の挿入口２４から下方へ取り外して、表示板を折り畳むとその内部の保持枠も折り畳まれて扁平状態となり、収納、保管、運搬等をすることができる。
【００３７】
図１６ないし図２２に示す第３の実施形態は、表示板２２と保持枠２３の構造は上記実施形態と同じで、異なるのは、表示板２２の形状を人型にしたことと、保持枠の挿入口を略３角形とし、支持脚４０を断面Ｖ型としたことである。前記保持枠の挿入口２４は表示板側を頂点とする略三角形孔とし、その内面に両側に支持脚の差し込み部２８ａを形成した凸部２８を設ける。
実施形態において、前記三角形の挿入口２４は表示板の中心位置を頂点として表示板に近接する位置に設けられ、かつ保持枠２３の中央の横方向の折り目側の内面中央に山形状凸部２８が一体に形成され、その両側に側面と円弧状凸部との間に鋭角の差し込み部２８ａが構成され、断面Ｖ型支持脚３０の端部が鋭角の差し込み部２８ａに当てられて、支持脚が三角形の挿入口２４の内面に密接して嵌合され、がたつきを生じないようにされている。
支持脚４０は縦長の段ボール板紙に中心の縦方向の折り目４１を介して両側の側板４２を設け、その折り目４１より折り曲げて断面略Ｖ型に形成され、その頂点側を表示板２２の背面に当接するようにする。そして、支持脚４０の上部には横方向に折り目４３が設けられて、図２１に示すように広げた状態から、図２０のように２つに折り畳むようにしてある。
さらに、支持脚４０は両側板４２の底面を頂点より前端まで傾斜状とし、支持脚を床面に立てるときに支持脚が傾斜して表示板を若干傾斜を付けて立てることができるようにする。この支持脚４０の幅は両側板４２は下方を上方より広くして安定して設置して表示体が後方へ倒れないようにする。
支持脚４０の側板４２の傾斜状端面の中途には前記と同様の受止め段部３５が設けられ、保持枠２３の下部の板面２３ｂに設けた挿入口２４に支持脚を挿入時に支持脚の受止め段部で保持枠が受止められて位置決めでき、支持脚に凭れかかる表示板と保持枠との荷重を確実に受け止める。受止め段部３５は保持枠の下部の板体の傾斜に合致するように鉤型（Ｖ型）の受け面を形成して保持枠が外れにくくしてある。実施例で、支持脚は断面Ｖ型としたがこれに限られるものではなく、三角形の挿入口の場合、例えば、支持脚も断面三角形とすることもできる。
【００３８】
この実施形態は前記構造としたので、図２２に示すように表示体を直立状に立てる場合には、表示体２１を広げて展開するとともに保持枠を「く」型に広げて起こし、別に支持脚４０を断面Ｖ型に折曲げて組立て、支持脚４０を保持枠２３の挿入口２４に下方より差し込み、三角形の支持脚の頂点側が表示板の背面に沿って当てられ、表示体と支持脚の底面は一致させて床面に立てることができる。保持枠の挿入口に支持脚４０を挿入時に支持脚４０の受止め段部３５が保持枠２３の下部板体に当たって係合するまで挿入し、保持枠と支持脚の位置が受け段部３５で決められて予め決めた所定の角度で表示板を確実に立てることができる。支持脚が断面Ｖ型の場合、挿入口２４の三角形の内面に嵌めて、その先端を両側隅角の差し込み部２８ａに当てて支持脚４０を挿入口に動かないように差し込むことができるので、表示板に対して保持枠を利用して支持脚を安定して取り付けできる。
次に、表示体を折り畳むときは、支持脚を保持枠の挿入口２４から取り外して、表示板を折り畳むとその内部の保持枠も折り畳まれて扁平状態となり、収納、保管、運搬等をすることができる。表示体と支持脚は別体であるから、１セットとして、或いは表示体、支持脚を別個に保管、運搬でき、販売は１セットとして提供できる。また、表示体とか支持脚が汚れたり、破損等を生じたときは、簡単に取り替えできる。かつまた、表示体を全て段ボール製又は厚紙製とするので、製造コストが安価であり、処分時分別の必要がなく、廃棄処理がやりやすく、またリサイクルも可能とできる。
【００３９】
以上の実施形態を示したが、この発明はこの形態に限定されるものではなく、この発明の要旨を逸脱しない範囲で、種々の形態を実施しうるものである。上記実施形態では、表示板、保持枠、支持脚を段ボール製或いは板紙製の場合で説明したが、これに限られるものではなく、合成樹脂、金属製等の薄板などで作成することもできる。菱形の保持枠を表示板の側部の連結片を介して連結する構造の場合を示したが、この連結片を設けないで、保持枠の両端を表示板の両側に直接接続して、支持脚を嵌合するようにもできる。
【００４０】
【発明の効果】
この発明によれば、表示板の前面に広告、宣伝、案内、標識等を表示した表示板と保持枠からなる表示体を折畳み状態から広げて支持脚を保持枠の挿入口に差し込むだけで簡単に組み立ててほぼ直立状に立てかけることができる。また、折畳み時には、支持脚を保持枠の挿入口より抜いて、表示板と保持枠を折畳んでコンパクトにして収納、保管できる。表示体と支持脚は別体であるから、１セットとして、或いは表示体、支持脚を別個に保管、運搬でき、販売は１セットとして提供できる。また、表示体とか支持脚が汚れたり、破損等を生じたときは、簡単に取り替えでき、経済的である。この発明のスタンド式表示体は、製作構造が極めて簡素なので、製造コストも低減でき、また、全て紙とすれば、安価であり、廃棄処分もやりやすく、また紙のリサイクルもできるので、有利である。
【００４１】
この発明によれば、彎曲後可能な表示板を折畳み状態から広げ、かつ背面の菱形の保持枠に支持脚を対角間に嵌合して菱形状とするだけで、表示板を押圧するとともに両端を引き寄せて表示板を彎曲状として簡単に組み立ててほぼ直立状に安定して立てかけることができる。表示板を彎曲状とすることで、見る側からすると左右どちらの方向からでも見ることができ、人の目を引きやすく広告、宣伝効果等を増大でき、商品価値を向上できる。また、収納、保管時等には、支持脚を四角形の保持枠の挿入口より抜くだけで、保持枠は押さえて扁平とし、表示板は復元力でもとの平板に戻され、それを折畳んでコンパクトにして収納、保管できる。
【００４２】
この発明によれば、保持枠の対角間に支持脚を挿入時、支持脚の幅広の突出部を保持枠の差し込み溝より突出して設置できるので、表示体を安定して立てることができ、後方へ転倒するのを防ぐことができる。また、この発明によれば、保持枠に支持脚を挿入時に、上部の保持枠において、支持脚に交叉状に繋止板に嵌めるので、保持枠の四角形、菱形を確実に保持でき、支持脚が保持枠内で対角線から外れるのを防ぎ、表示体が倒れることを防止できる。
【００４３】
この発明によれば、表示板の前面に広告、宣伝、案内等を表示した表示板を広げると共に、背面の保持枠を折畳み状態から「く」型に広げてその挿入口に表示板に沿って支持脚を差し込むだけで簡単に組み立ててほぼ直立状に安定して立てかけることができる。また、折畳み時には、支持脚を保持枠の挿入口より抜いて、保持枠とともに表示板を折畳んでコンパクトにして収納、保管、運搬等ができる。この発明のスタンド式表示体は、製作構造が極めて簡素なので、製造コストも低減でき、また、全て紙とすれば、安価であり、廃棄処分もやりやすく、また紙のリサイクルもできるので、有利である。
【００４４】
この発明によれば、前記保持枠の略四角形の挿入口にコ型とした支持脚の両辺を差し込み部に差し込んでがたつきなく簡単に表示体を立てることができる。または、前記保持枠の略三角形の挿入口にＶ型とした支持脚の両辺を差し込み部に差し込んでがたつきなく簡単に表示体を立てることができる。かつまた、保持枠の下片に設けた挿入口に支持脚を挿入時に支持脚の受止め段部で保持枠を受止めることができるので、表示板を所定の角度で保持することができる。
【図面の簡単な説明】
【図１】この発明の表示体の斜視図である。
【図２】同背面側の斜視図である。
【図３】同中央縦断面図である。
【図４】（イ）表示体を折り畳んだ状態の平面図、（ロ）広げた状態の平面図である。
【図５】図３のＸ−Ｘ断面図である。
【図６】図３のＹ−Ｙ断面図である。
【図７】表示体、支持脚および繋止板を折り畳んだ状態の斜視図である。
【図８】表示体を開き、支持脚と繋止板を挿入する状態の斜視図である。
【図９】表示板を２つ折りの長方形とした別の表示体の斜視図である。
【図１０】同背面側の斜視図である。
【図１１】同中央縦断面図である。
【図１２】この表示体の折畳み状態の斜視図である。
【図１３】支持脚の折畳み状態の正面図である。
【図１４】支持脚を広げた状態の正面図である。
【図１５】表示体を広げ、コ型の支持脚を挿入する状態の斜視図である。
【図１６】表示板を人型とした別の表示体の背面側の斜視図である。
【図１７】同中央縦断面図である。
【図１８】この表示体の折畳み状態の斜視図である。
【図１９】表示体を広げた状態の斜視図である。
【図２０】支持脚の折畳み状態の正面図である。
【図２１】支持脚を広げた状態の正面図である。
【図２２】表示体を広げ、Ｖ型の支持脚を挿入する状態の斜視図である。
【符号の説明】
１　表示体
２　縦長の表示板
３　保持枠
４　挿入口
５　折り目
７　連結片
８　差し込み溝
１０　支持脚
１２　突出部
１４　嵌合溝
１５　繋止板
２１　表示体
２２　縦長の表示板
２３　保持枠
２４　挿入口
２５　折り目
２７　凸部
２７ａ　差し込み部
３０　支持脚
３３　側板
３５　受止め段部
４０　支持脚
４２　側板
【図１】
2004102036.tif 000003
【図２】
2004102036.tif 000004
【図３】
2004102036.tif 000005
【図４】
2004102036.tif 000006
【図５】
2004102036.tif 000007
【図６】
2004102036.tif 000008
【図７】
2004102036.tif 000009
【図８】
2004102036.tif 000010
【図９】
2004102036.tif 000011
【図１０】
2004102036.tif 000012
【図１１】
2004102036.tif 000013
【図１２】
2004102036.tif 000014
【図１３】
2004102036.tif 000015
【図１４】
2004102036.tif 000016
【図１５】
2004102036.tif 000017
【図１６】
2004102036.tif 000018
【図１７】
2004102036.tif 000019
【図１８】
2004102036.tif 000020
【図１９】
2004102036.tif 000021
【図２０】
2004102036.tif 000022
【図２１】
2004102036.tif 000023
【図２２】
2004102036.tif 000024